(57)【要約】
【課題】　ＦＭ放送信号を受信するときの中間周波同調回路のＱを中間周波増幅器の影響を受けることなく高くする。
【解決手段】　テレビジョン信号又はＦＭ放送信号が入力され、テレビジョン信号に基づく中間周波信号又はＦＭ放送信号に基づく中間周波信号を出力する混合器１と、中間周波信号に同調する中間周波同調回路２、中間周波同調回路から出力される中間周波信号を増幅する中間周波増幅器３とを備え、中間周波同調回路２と中間周波増幅器３をスイッチダイオード４、５によって結合し、テレビジョン信号の受信時にはスイッチダイオードをオンとし、ＦＭ放送信号の受信時にはスイッチダイオードをオフとした。
【選択図】　　　　図１
0003100019.tif 000002
【実用新案登録請求の範囲】
【請求項１】
テレビジョン信号又はＦＭ放送信号が入力され、前記テレビジョン信号に基づく中間周波信号又は前記ＦＭ放送信号に基づく中間周波信号を出力する混合器と、前記中間周波信号に同調する中間周波同調回路と、前記中間周波同調回路から出力される前記中間周波信号を増幅する中間周波増幅器とを備え、前記中間周波同調回路と前記中間周波増幅器とをスイッチダイオードによって結合し、前記テレビジョン信号の受信時には前記スイッチダイオードをオンとし、前記ＦＭ放送信号の受信時には前記スイッチダイオードをオフとしたことを特徴とするテレビジョンチューナ。
【請求項２】
前記スイッチダイオードをオン又はオフに切り替えるための切替制御回路を設け、前記中間周波増幅器と前記切替制御回路とを集積回路内に構成したことを特徴とする請求項１に記載のテレビジョンチューナ。
【請求項３】
前記スイッチダイオードを前記集積回路内に構成し、前記スイッチダイオードのアノードと前記中間周波増幅器とに共通のバイアス電圧を印加し、前記スイッチダイオードのカソードを前記切替制御回路に接続したことを特徴とする請求項２に記載のテレビジョンチューナ。
【請求項４】
前記スイッチダイオードを前記集積回路外に設け、前記混合器とスイッチダイオードのアノードとに共通のバイアス電圧を印加し、前記スイッチダイオードのカソードを前記切替制御回路に接続したことを特徴とする請求項２に記載のテレビジョンチューナ。
【請求項５】
前記中間周波同調回路は並列同調回路を構成するインダクタンス素子と、前記インダクタンス素子に並列接続されたバラクタダイオードとを有し、前記バラクタダイオードのカソードに前記共通のバイアス電圧を印加し、前記スイッチダイオードのカソードと前記バラクタダイオードのアノードとを前記切替制御回路に接続したことを特徴とする請求項４に記載のテレビジョンチューナ。
【考案の詳細な説明】
【技術分野】
【０００１】
　本考案は、テレビジョン信号の他にもＦＭ放送信号を受信出来るように構成されたテレビジョンチューナに関する。
【背景技術】
【０００２】
　テレビジョン信号とＦＭ放送信号とを受信可能な従来のテレビジョンチューナの主要部の構成を図５に示す。受信されたテレビジョン信号又はＦＭ放送信号はいずれか一方が選択されて混合器１１に入力され、混合器１１に供給される局部発振信号（図示せず）と混合されていずれもがテレビジョンの中間周波数帯の中間周波信号に変換される。中間周波信号は中間周波同調回路１２を介して中間周波増幅器１３に入力される。
【０００３】
　ここで、中間周波同調回路１２は容量素子１２ａと、互いに直列接続されて容量素子１２ａに並列接続された二つのインダクタンス素子１２ｂ、１２ｃと、さらに、ＤＣカット用の容量素子１２ｄを介して容量素子１２ａとインダクタンス素子１２ｂ、１２ｃとに並列接続されたバラクタダイオード１２ｅとから構成される。そして、二つのインダクタンス素子１２ｂ、１２ｃの接続点に印加された電源電圧Ｖｃｃが混合器１１に供給される。中間周波同調回路１２と中間周波増幅器１３とはＤＣカット用の容量素子１４、１５によって結合される。
【０００４】
　バラクタダイオード１２ｅはそのカソードに電源電圧が印加されるように接続されており、アノードは切替回路１６に接続される。切替回路１６はバラクタダイオード１２ｅのアノードを抵抗を介して接地するか、又は電源電圧よりも低い電圧Ｖｅの源源に接続するように切り替える。
【０００５】
　以上の構成において、テレビジョン信号の受信時には選択されたチャンネルのテレビジョン信号が混合器１１に入力される。そして、バラクタダイオード１２ｅのアノードは切替回路１６によって抵抗を介して接地される。よって、バラクタダイオード１２ｅの両端間の電圧は電源電圧Ｖｃｃとなる。この時のバラクタダイオード１２ｅの容量値によって中間周波同調回路１２の同調周波数は図６に示すように映像中間周波数Ｐ（５８．７５ＭＨｚ）と音声中間周波数Ｓ（５４．２５ＭＨｚ）との間となるように設定される。
【０００６】
　また、ＦＭ放送信号の受信時には、選択された周波数のＦＭ放送信号が混合器１１に入力される。そして、そして、バラクタダイオード１２ｅのアノードには切替回路１６によって電圧Ｖｅが印加される。よって、バラクタダイオード１２ｅの両端間の電圧は電源電圧Ｖｃｃ−Ｖｅとなって小さくなるのでバラクタダイオード１２ｅの容量値が大きくなる。この時のバラクタダイオード１２ｅの容量値によって中間周波同調回路２の同調周波数は図７に示すように音声中間周波数Ｓ（５４．２５ＭＨｚ）となるように設定される（例えば特許文献１参照。）。
【０００７】
【特許文献１】特開２００１−１５７１２８号公報（図１、第３頁−第４頁）
【考案の開示】
【考案が解決しようとする課題】
【０００８】
　ＦＭ放送信号は隣接する放送信号との周波数間隔が狭いので（２００ＫＨｚ）、妨害を避けるためには中間周波同調回路の選択度をシャープにする必要があるが、中間周波同調回路には中間周波増幅器がＤＣカット用の容量素子によって密結合しており、しかも、中間周波増幅器の入力インピーダンスが低いので中間周波同調回路がＱダンプされて選択度をシャープにすることができないという問題がある。
【０００９】
　本考案では、ＦＭ放送信号を受信するときの中間周波同調回路のＱを中間周波増幅器の影響を受けることなく高くすることを目的とする。
【課題を解決するための手段】
【００１０】
　上記課題を解決する手段として、テレビジョン信号又はＦＭ放送信号が入力され、前記テレビジョン信号に基づく中間周波信号又は前記ＦＭ放送信号に基づく中間周波信号を出力する混合器と、前記中間周波信号に同調する中間周波同調回路と、前記中間周波同調回路から出力される前記中間周波信号を増幅する中間周波増幅器とを備え、前記中間周波同調回路と前記中間周波増幅器とをスイッチダイオードによって結合し、前記テレビジョン信号の受信時には前記スイッチダイオードをオンとし、前記ＦＭ放送信号の受信時には前記スイッチダイオードをオフとした。
【００１１】
　また、前記スイッチダイオードをオン又はオフに切り替えるための切替制御回路を設け、前記中間周波増幅器と前記切替制御回路とを集積回路内に構成した。
【００１２】
　また、前記スイッチダイオードを前記集積回路内に構成し、前記スイッチダイオードのアノードと前記中間周波増幅器とに共通のバイアス電圧を印加し、前記スイッチダイオードのカソードを前記切替制御回路に接続した。
【００１３】
　また、前記スイッチダイオードを前記集積回路外に設け、前記混合器とスイッチダイオードのアノードとに共通のバイアス電圧を印加し、前記スイッチダイオードのカソードを前記切替制御回路に接続した。
【００１４】
　また、前記中間周波同調回路は並列同調回路を構成するインダクタンス素子と、前記インダクタンス素子に並列接続されたバラクタダイオードとを有し、前記バラクタダイオードのカソードに前記共通のバイアス電圧を印加し、前記スイッチダイオードのカソードと前記バラクタダイオードのアノードとを前記切替制御回路に接続した。
【考案の効果】
【００１５】
　本考案では、テレビジョン信号又はＦＭ放送信号が入力され、テレビジョン信号に基づく中間周波信号又はＦＭ放送信号に基づく中間周波信号を出力する混合器と、中間周波信号に同調する中間周波同調回路と、中間周波同調回路から出力される中間周波信号を増幅する中間周波増幅器とを備え、中間周波同調回路と中間周波増幅器とをスイッチダイオードによって結合し、テレビジョン信号の受信時にはスイッチダイオードをオンとし、ＦＭ放送信号の受信時にはスイッチダイオードをオフとしたので、ＦＭ放送信号を受信するときには中間周波同調回路と中間周波増幅器とが粗結合される。よって、中間周波同調回路に対する中間周波増幅器の負荷効果が軽くなって中間周波同調回路のＱが高くなり、同調特性が急峻となり隣接放送信号からの妨害が軽減される。
【００１６】
　また、スイッチダイオードをオン又はオフに切り替えるための切替制御回路を設け、中間周波増幅器と切替制御回路とを集積回路内に構成したので、切替のための構成が簡単になる。
【００１７】
　また、スイッチダイオードを集積回路内に構成し、スイッチダイオードのアノードと中間周波増幅器とに共通のバイアス電圧を印加し、スイッチダイオードのカソードを切替制御回路に接続したので、スイッチダイオードには専用のバイアス回路が不要となり、構成が簡単になる。
【００１８】
　また、スイッチダイオードを集積回路外に設け、混合器とスイッチダイオードのアノードとに共通のバイアス電圧を印加し、スイッチダイオードのカソードを切替制御回路に接続したので、スイッチダイオードをオンするときに必要十分な電流を流すことが出来る。よって、スイッチダイオードが発生する歪みを少なくすることが出来る。
【００１９】
　また、中間周波同調回路は並列同調回路を構成するインダクタンス素子と、インダクタンス素子に並列接続されたバラクタダイオードとを有し、バラクタダイオードのカソードに共通のバイアス電圧を印加し、スイッチダイオードのカソードとバラクタダイオードのアノードとを切替制御回路に接続したので、ＦＭ放送受信時にスイッチダイオードをオフにすると共にバラクタダイオードの容量値を大きくすることができる。よって、ＦＭ放送信号受信時の中間周波同調周波数をテレビの音声中間周波に合わせることが出来る。
【考案を実施するための最良の形態】
【００２０】
　本考案のテレビジョンチューナの主要部の構成を図１に示す。受信されたテレビジョン信号又はＦＭ放送信号はいずれか一方が選択されて混合器１に入力され、混合器１に供給される局部発振信号（図示せず）と混合されていずれもがテレビジョンの中間周波数帯の中間周波信号に変換される。そして、中間周波信号は中間周波同調回路２を介して中間周波増幅器３に入力される。
【００２１】
　ここで、混合器１、中間周波同調回路２及び中間周波増幅器３は平衡回路で構成され、このうち、混合器１及び中間周波増幅器３は集積回路１０内に構成され、中間周波同調回路２は集積回路１０外に設けられる。集積回路１０には混合器１の出力端に接続される平行出力端子１０ａ、１０ｂと中間周波増幅器３の入力端に接続される平行入力端子１０ｃ、１０ｄとが設けられ、中間周波同調回路２はこれら平行入力端子１０ａ、１０ｂと平行出力端子１０ｃ、１０ｄとの間に接続される。
【００２２】
　中間周波同調回路２は容量素子Ｃ１と、互いに直列接続されて容量素子Ｃ１に並列接続された二つのインダクタンス素子Ｌ１、Ｌ２と、さらに、ＤＣカット用の容量素子Ｃ０を介して容量素子Ｃ１とインダクタンス素子Ｌ１、Ｌ２とに並列接続されたバラクタダイオードＶＤとから構成される並列同調回路２ａと、インダクタンス素子Ｌ３と容量素子Ｃ１との並列回路からなって、隣接チャンネルの映像搬送波に共振するトラップ回路２ｂとを有する。そして、二つのインダクタンス素子Ｌ１、Ｌ２の接続点に印加された電源電圧Ｖｃｃが混合器１に供給される。
【００２３】
　中間周波増幅器３は二つのトランジスタ３ａ、３ｂを有し、入力端であるそれぞれのベースには定電圧回路３ｃからバイアス電圧が印加され、エミッタ同士は抵抗結合されると共にそれぞれ定電流源３ｄ、３ｅに接続される。また、それぞれのコレクタは平行出力端子１０ｅ、１０ｆに結合される。また、各コレクタには電源端子１０ｇから電圧Ｖｃｃが供給される。
【００２４】
　トランジスタ３ａ、３ｂのベースはスイッチダイオード４、５を介して平行入力端子１０ｃ、１０ｄに結合され、この際、スイッチダイオード４、５のアノードはベースに接続されるので、バイアス電圧はスイッチダイオード３ｃ、３ｄのアノードにも印加される。そして、スイッチダイオード４、５は切替制御回路６によってオン／オフが切り替えられる。
【００２５】
　切替制御回路６も集積回路１０内に構成され、スイッチトランジスタ６ａを有する。スイッチトランジスタ６ａのコレクタは給電抵抗６ｂによって電源にプルアップされると共に高周波阻止用の抵抗６ｃによってスイッチダイオード４のカソードに接続される。また、中間周波同調回路２におけるバラクタダイオードＶＤのアノードも一方の平行入力端子１０ｄを介してスイッチダイオード５のカソードに接続されると共に、スイッチダイオード５のカソードと共に高周波阻止用の抵抗６ｄによってスイッチトランジスタ６ａのコレクタに接続される。ベースには切替電圧が印加される。
【００２６】
　以上の構成において、テレビジョン信号の受信時には選択されたチャンネルのテレビジョン信号が混合器１に入力される。同時に、切替制御回路６のスイッチトランジスタ６ａがオンとされる。すると、二つのスイッチダイオード４、５もオンとなる。これによって、中間周波増幅器３は中間周波同調回路２に密結合される。また、バラクタダイオードＶＤのアノードは、トランジスタ３ａ、３ｂのベースバイアス電圧よりも０．７ボルト以上低い電圧が印加されるので、バラクタダイオードＶＤの容量値は小さくなる。この時の並列同調回路２ａの同調周波数が図２に示すように映像中間周波数Ｐ（５８．７５ＭＨｚ）と音声中間周波数Ｓ（５４．２５ＭＨｚ）との間に位置するように設定される。また、トラップ回路２ｂによって隣接チャンネルの映像中間周波数（＋Ｐ）が減衰する。
【００２７】
　また、ＦＭ放送信号の受信時には、選択された周波数のＦＭ放送信号が混合器１に入力される。同時に、スイッチトランジスタ６ａがオフとされる。すると、二つのスイッチダイオード４、５もオフとなる。この時のスイッチダイオード４、５の端子間容量値は極めて小さい（通常、１ｐＦ以下）。よって、中間周波増幅器３は中間周波同調回路２に粗結合される。また、バラクタダイオード２ｅのアノードには電源端子１０ｇから抵抗６ｂ、６ｄを介して電圧Ｖｃｃが印加されるので、バラクタダイオードＶＤの容量値は、テレビジョン信号の受信時よりも大きくなり、並列同調回路２ａの同調周波数は図３に示すように音声中間周波数Ｓ（５４．２５ＭＨｚ）に位置するように設定される。しかし、中間周波増幅器３が粗結合されているので、中間周波同調回路２に対する中間周波増幅器３の負荷効果が小さくなる。よって、同調のＱは大きくなり、図示のように同調特性が急峻となる。
【００２８】
　図４は一個のスイッチダイオード４のみを使用してこれを集積回路１０外に設け、スイッチダイオード４のアノードには中間周波同調回路２からバイアス電圧Ｖｃｃを印加し、カソードを一方の平行入力端子１０ｃに接続する。切替制御回路６は集積回路１０内に構成される。そして、トランジスタ３ａ、３ｂのベースがそれぞれ平行入力端子１０ｃ、１０ｄに結合され、スイッチダイオード４のカソードが一方の平行入力端子１０ｃに接続されると共に、抵抗６ｃによってスイッチトランジスタ６ａのコレクタに接続され、バラクタダイオードＶＤのアノードが抵抗６ｄによってスイッチトランジスタ６ａのコレクタに接続される。その他の構成は図１に示したものと同じである。
【００２９】
　この構成においても、テレビジョン信号の受信時にはスイッチダイオード４がオンとなって中間周波増幅器３は中間周波同調回路２に密結合される。また、バラクタダイオードＶＤのアノードが接地電位となり、バラクタダイオードＶＤの容量値は小さくなる。この時の並列同調回路２ａの同調周波数は図２に示すように映像中間周波数Ｐ（５８．７５ＭＨｚ）と音声中間周波数Ｓ（５４．２５ＭＨｚ）との間に位置するように設定される。
【００３０】
　また、ＦＭ放送信号の受信時にはスイッチダイオード４はオフとなってその端子間容量値は極めて小さく（通常、１ｐＦ以下）なり、中間周波増幅器３は中間周波同調回路２に粗結合される。また、バラクタダイオード２ｅのカソードには電源電圧が印加されたままでアノードも電源電圧となるので、バラクタダイオードＶＤの容量値は、テレビジョン信号の受信時よりも大きくなり、並列同調回路２ａの同調周波数は図３に示すように音声中間周波数Ｓ（５４．２５ＭＨｚ）に位置するように設定される。しかし、中間周波増幅器３が粗結合されているので、中間周波同調回路２に対する中間周波増幅器３の負荷効果が小さくなる。よって、同調のＱは大きくなり、図示のように同調特性が急峻となる。
【図面の簡単な説明】
【００３１】
【図１】本考案のテレビジョンチューナの構成を示す回路図である。
【図２】本考案のテレビジョンチューナにおけるテレビジョン信号受信時の中間周波特性図である。
【図３】本考案のテレビジョンチューナにおけるＦＭ放送信号受信時の中間周波特性図である。
【図４】本考案のテレビジョンチューナの他の構成を示す回路図である。
【図５】従来のテレビジョンチューナの構成を示す回路図である。
【図６】従来のテレビジョンチューナにおけるテレビジョン信号受信時の中間周波特性図である。
【図７】従来のテレビジョンチューナにおけるＦＭ放送信号受信時の中間周波特性図である。
【符号の説明】
【００３２】
　１：混合器
　２：中間周波同調回路
　２ａ：並列同調回路
　２ｂ：トラップ回路
　３：中間周波増幅器
　３ａ、３ｂ：トランジスタ
　３ｃ：定電圧回路
　３ｄ、３ｅ：定電流源
　Ｌ１、Ｌ２、Ｌ３：インダクタンス素子
　Ｃ１、Ｃ２：容量素子
　ＶＤ：バラクタダイオード
　４、５：スイッチダイオード
　６：切替制御回路
　６ａ：スイッチトランジスタ
　６ｂ：給電抵抗
　６ｃ、６ｂ：高周波阻止用抵抗
　１０：集積回路
　１０ａ、１０ｂ：平行出力端子
　１０ｃ、１０ｄ：平行入力端子
【図１】
0003100019.tif 000003
【図２】
0003100019.tif 000004
【図３】
0003100019.tif 000005
【図４】
0003100019.tif 000006
【図５】
0003100019.tif 000007
【図６】
0003100019.tif 000008
【図７】
0003100019.tif 000009